(57)【要約】【課題】高速データアクセスメモリよりオペレーションシステムコアプログラムをロードしてコンピュータプログラムをインスタント起動実行する方法の提供。【解決手段】コンピュータ装置にあってハードディスク、システムメモリ、基本入出力システム、少なくとも一つのインスタントキー、少なくとも一つのマルチメディア再生装置、及び高速データアクセスメモリが接続され、該インスタントキーが操作されたことが検出された時、該コンピュータ装置が該高速データアクセスメモリ中より第２オペレーションシステム及びコアプログラムをシステムメモリ中にロードし並びに実行し、並びにマルチメディア再生装置の駆動プログラム及びマルチメディア再生装置のアプリケーションプログラムをロード及び実行してインスタントキーの対応するマルチメディア再生装置を動作させる。該高速データアクセスメモリはメモリチップ或いはフラッシュメモリとされる。【選択図】図１
2007035010.tif 000002
【特許請求の範囲】
【請求項１】
高速データアクセスメモリよりオペレーションシステムコアプログラムをロードしてコンピュータプログラムをインスタント起動実行する方法において、コンピュータ装置はＣＰＵ、データ保存媒体、システムメモリ、基本入出力システム、少なくとも一つのインスタントキー、及び少なくとも一つのマルチメディア再生装置が包含し、該データ保存媒体に第１オペレーションシステム、少なくとも一つのマルチメディア再生装置の駆動プログラム、少なくとも一つのマルチメディア再生装置のアプリケーションプログラムが保存され、該コンピュータ装置は更に高速データアクセスメモリを包含し、該高速データアクセスメモリはバスを介して該ＣＰＵに接続され、該高速データアクセスメモリ中に第２オペレーションシステムのコアプログラムが保存されており、この方法は、
（ａ）該インスタントキーの被操作状態を検出するステップ、
（ｂ）該インスタントキーが操作されたことが検出された時、該コンピュータ装置が該高速データアクセスメモリ中より第２オペレーションシステムのコアプログラムをシステムメモリ中にロードし並びに実行するステップ、
（ｃ）該データ保存媒体中より該インスタントキーに対応するマルチメディア再生装置の駆動プログラム及びマルチメディア再生装置のアプリケーションプログラムをロード及び実行するステップ、
（ｄ）該インスタントキーに対応するマルチメディア再生装置を動作させるステップ、  以上のステップを包含することを特徴とする、高速データアクセスメモリよりオペレーションシステムコアプログラムをロードしてコンピュータプログラムをインスタント起動実行する方法。
【請求項２】
請求項１記載の高速データアクセスメモリよりオペレーションシステムコアプログラムをロードしてコンピュータプログラムをインスタント起動実行する方法において、該データ保存媒体がハードディスクであることを特徴とする、方法。
【請求項３】
請求項２記載の高速データアクセスメモリよりオペレーションシステムコアプログラムをロードしてコンピュータプログラムをインスタント起動実行する方法において、該ハードディスクが第１セクションと第２セクションに分割され、そのうち、第１セクション中に第１オペレーションシステムが保存され、第２セクション中に該マルチメディア再生装置の駆動プログラム及びマルチメディア再生装置のアプリケーションプログラムが保存されることを特徴とする、方法。
【請求項４】
請求項１記載の高速データアクセスメモリよりオペレーションシステムコアプログラムをロードしてコンピュータプログラムをインスタント起動実行する方法において、高速データアクセスメモリがメモリチップとされたことを特徴とする、方法。
【請求項５】
請求項１記載の高速データアクセスメモリよりオペレーションシステムコアプログラムをロードしてコンピュータプログラムをインスタント起動実行する方法において、高速データアクセスメモリがフラッシュメモリとされたことを特徴とする、方法。
【請求項６】
高速データアクセスメモリよりオペレーションシステムコアプログラムをロードしてコンピュータプログラムをインスタント起動実行する方法において、コンピュータ装置はＣＰＵ、データ保存媒体、システムメモリ、基本入出力システム、少なくとも一つのインスタントキー、及び少なくとも一つのマルチメディア再生装置が包含し、該データ保存媒体に第１オペレーションシステムが保存され、該コンピュータ装置が更に高速データアクセスメモリを包含し、該高速データアクセスメモリはバスでＣＰＵに接続され、該高速データアクセスメモリ中に第２オペレーションシステムのコアプログラム、少なくとも一つのマルチメディア再生装置の駆動プログラム、少なくとも一つのマルチメディア再生装置のアプリケーションプログラムが保存され、この方法は、
（ａ）該インスタントキーの被操作状態を検出するステップ、
（ｂ）該インスタントキーが操作されたことが検出された時、該コンピュータ装置が該高速データアクセスメモリ中より第２オペレーションシステムのコアプログラムをシステムメモリ中にロードし並びに実行するステップ、
（ｃ）該高速データアクセスメモリ中より該インスタントキーに対応するマルチメディア再生装置の駆動プログラム及びマルチメディア再生装置のアプリケーションプログラムをロード及び実行するステップ、
（ｄ）該インスタントキーに対応するマルチメディア再生装置を動作させるステップ、  以上のステップを包含することを特徴とする、高速データアクセスメモリよりオペレーションシステムコアプログラムをロードしてコンピュータプログラムをインスタント起動実行する方法。
【請求項７】
請求項６記載の高速データアクセスメモリよりオペレーションシステムコアプログラムをロードしてコンピュータプログラムをインスタント起動実行する方法において、該データ保存媒体がハードディスクであることを特徴とする、方法。
【請求項８】
請求項６記載の高速データアクセスメモリよりオペレーションシステムコアプログラムをロードしてコンピュータプログラムをインスタント起動実行する方法において、高速データアクセスメモリがメモリチップとされたことを特徴とする、方法。
【請求項９】
請求項６記載の高速データアクセスメモリよりオペレーションシステムコアプログラムをロードしてコンピュータプログラムをインスタント起動実行する方法において、高速データアクセスメモリがフラッシュメモリとされたことを特徴とする、方法。
【請求項１０】
高速データアクセスメモリよりオペレーションシステムコアプログラムをロードしてコンピュータプログラムをインスタント起動実行する方法において、コンピュータ装置はＣＰＵ、データ保存媒体、システムメモリ、基本入出力システム、少なくとも一つのインスタントキー、及び少なくとも一つのマルチメディア再生装置が包含し、該データ保存媒体に第１オペレーションシステムが保存され、該コンピュータ装置が更に高速データアクセスメモリを包含し、該高速データアクセスメモリはバスでＣＰＵに接続され、該高速データアクセスメモリ中に第２オペレーションシステムのコアプログラムが保存され、この方法は、
（ａ）該インスタントキーの被操作状態を検出するステップ、
（ｂ）該インスタントキーが操作されたことが検出された時、該コンピュータ装置が該高速データアクセスメモリ中より第２オペレーションシステムのコアプログラムをシステムメモリ中にロードし並びに実行するステップ、
（ｃ）該高速データアクセスメモリ中より該インスタントキーに対応するマルチメディア再生装置の駆動プログラム及びマルチメディア再生装置のアプリケーションプログラムをロード及び実行するステップ、
（ｄ）該インスタントキーに対応するマルチメディア再生装置を動作させるステップ、  以上のステップを包含することを特徴とする、高速データアクセスメモリよりオペレーションシステムコアプログラムをロードしてコンピュータプログラムをインスタント起動実行する方法。
【請求項１１】
請求項１０記載の高速データアクセスメモリよりオペレーションシステムコアプログラムをロードしてコンピュータプログラムをインスタント起動実行する方法において、該データ保存媒体がハードディスクであることを特徴とする、方法。
【請求項１２】
請求項１０記載の高速データアクセスメモリよりオペレーションシステムコアプログラムをロードしてコンピュータプログラムをインスタント起動実行する方法において、マルチメディア再生装置の駆動プログラム及びマルチメディア再生装置のアプリケーションプログラムが該データ保存媒体中に保存されていることを特徴とする、方法。
【請求項１３】
請求項１０記載の高速データアクセスメモリよりオペレーションシステムコアプログラムをロードしてコンピュータプログラムをインスタント起動実行する方法において、マルチメディア再生装置の駆動プログラム及びマルチメディア再生装置のアプリケーションプログラムが該高速データアクセスメモリ中に保存されていることを特徴とする、方法。
【請求項１４】
請求項１０記載の高速データアクセスメモリよりオペレーションシステムコアプログラムをロードしてコンピュータプログラムをインスタント起動実行する方法において、該高速データアクセスメモリがメモリチップとされたことを特徴とする、方法。
【請求項１５】
請求項１０記載の高速データアクセスメモリよりオペレーションシステムコアプログラムをロードしてコンピュータプログラムをインスタント起動実行する方法において、高速データアクセスメモリがフラッシュメモリとされたことを特徴とする、方法。
【発明の詳細な説明】
【技術分野】
【０００１】
本発明はコンピュータマルチメディア装置を起動する方法に係り、特に、高速データアクセスメモリよりオペレーションシステムコアプログラムをロードしてコンピュータプログラムをインスタント起動実行する方法に関する。
【背景技術】
【０００２】
コンピュータ技術の不断の研究開発により、現在、コンピュータ装置にマルチメディア再生装置を結合させて構成したマルチメディアオーディオビデオ再生システムが、オフィス、家庭、商業場面などの多くの応用領域において広く応用されるようになった。
【０００３】
しかし、現在のマルチメディアオーディオビデオ再生システム或いはコンピュータ化情報家電機能にあって、そのほとんどの設計は、単純にオーディオビデオ再生装置或いは家電設備をコンピュータインタフェースを介してコンピュータシステムに接続したものである。もし操作者がこのマルチメディア再生機能或いは家電設備の機能を実行したいならば、まずコンピュータシステムを起動し、並びにコンピュータシステムに基本入出力システムプログラムの起動、システムセルフテスト、周辺設備検出及び駆動、オペレーションシステム起動、システムコンフィギュレーション設定、などの全てのプロセスの後でなければ、該マルチメディアオーディオビデオ再生機能を実行できない。
【０００４】
パソコン起動時間を加速するため、伝統的には、その原ハードディスク中のオペレーションシステムのほかに、第２のオペレーションシステムをハードディスクの別のセクション内にインストールし、マルチメディアオーディオビデオ再生或いは情報家電機能を提供し、並びに起動時間を短縮する方法が採られている。
【発明の開示】
【発明が解決しようとする課題】
【０００５】
しかし、上述の方法を採用する時、使用者はコンピュータ装置の機能を正常起動実行するか或いはマルチメディアオーディオビデオ再生或いは情報家電機能を実行するかを選択できる。ただし、コンピュータシステムがオペレーションシステムを起動する時、該コンピュータシステムはハードディスク中よりオペレーションシステムを読み取らねばならない。ハードディスクの駆動プログラム、アプリケーションプログラム或いはデータの読み取りを実行する時、全体のコンピュータシステムの速度はハードディスクのデータアクセス速度の制限を受けざるを得ない。ハードディスクは大量のデータの保存能力を有するものの、その他の高速メモリ、メモリチップ、フラッシュメモリ等のデータ保存装置のデータアクセス速度に比べると、ハードディスクのデータアクセス速度は相当に低い。
【０００６】
これにより、本発明の主要な目的は、一種のコンピュータプログラムを快速起動実行する方法を提供することにあり、それは、コンピュータ装置の一般のコンピュータ起動プロセスを起動する必要なくして、マルチメディア再生或いは家電制御の目的を達成できる方法であるものとする。
【０００７】
本発明の別の目的は、一種の高速データアクセスメモリよりオペレーションシステムコアプログラムをロードしてコンピュータプログラムをインスタント起動実行する方法を提供することにあり、それは、コンピュータ装置中にあって、高速データアクセスメモリが接続され、インスタントキーが操作されたことを検出したとき、該コンピュータ装置が高速データアクセスメモリ中よりオペレーションシステム及びコアプログラムをシステムメモリ中にロードし並びに実行する方法であるものとする。
【０００８】
本発明が周知の技術の問題を解決するために採用する技術手段は、以下のとおりである。すなわち、コンピュータ装置中にあって、ハードディスク、システムメモリ、基本入出力システム、少なくとも一つのインスタントキー、少なくとも一つのマルチメディア再生装置、及び高速データアクセスメモリが接続され、該コンピュータ装置が正常コンピュータ操作モード或いはマルチメディアインスタント起動及び再生モードで操作されうる。該コンピュータ装置が正常起動される時、コンピュータ装置はハードディスク中の第１オペレーションシステムをロード及び実行する。該インスタントキーが操作されたことを検出すると、該コンピュータ装置は高速データアクセスメモリ中より第２オペレーションシステム及びコアプログラムをシステムメモリ中にロードし並びに実行し、並びにマルチメディア再生装置の駆動プログラム及びコアプログラムをシステムメモリ中にロードし並びに実行し、並びにマルチメディア再生装置の駆動プログラム及びマルチメディア再生装置のアプリケーションプログラムをロードし実行し、該インスタントキーの対応するマルチメディア再生装置を動作させる。高速データアクセスメモリはメモリチップ、フラッシュメモリとされうる。
【課題を解決するための手段】
【０００９】
請求項１の発明は、高速データアクセスメモリよりオペレーションシステムコアプログラムをロードしてコンピュータプログラムをインスタント起動実行する方法において、コンピュータ装置はＣＰＵ、データ保存媒体、システムメモリ、基本入出力システム、少なくとも一つのインスタントキー、及び少なくとも一つのマルチメディア再生装置が包含し、該データ保存媒体に第１オペレーションシステム、少なくとも一つのマルチメディア再生装置の駆動プログラム、少なくとも一つのマルチメディア再生装置のアプリケーションプログラムが保存され、該コンピュータ装置は更に高速データアクセスメモリを包含し、該高速データアクセスメモリはバスを介して該ＣＰＵに接続され、該高速データアクセスメモリ中に第２オペレーションシステムのコアプログラムが保存されており、この方法は、
（ａ）該インスタントキーの被操作状態を検出するステップ、
（ｂ）該インスタントキーが操作されたことが検出された時、該コンピュータ装置が該高速データアクセスメモリ中より第２オペレーションシステムのコアプログラムをシステムメモリ中にロードし並びに実行するステップ、
（ｃ）該データ保存媒体中より該インスタントキーに対応するマルチメディア再生装置の駆動プログラム及びマルチメディア再生装置のアプリケーションプログラムをロード及び実行するステップ、
（ｄ）該インスタントキーに対応するマルチメディア再生装置を動作させるステップ、  以上のステップを包含することを特徴とする、高速データアクセスメモリよりオペレーションシステムコアプログラムをロードしてコンピュータプログラムをインスタント起動実行する方法としている。
請求項２の発明は、請求項１記載の高速データアクセスメモリよりオペレーションシステムコアプログラムをロードしてコンピュータプログラムをインスタント起動実行する方法において、該データ保存媒体がハードディスクであることを特徴とする、方法としている。
請求項３の発明は、請求項２記載の高速データアクセスメモリよりオペレーションシステムコアプログラムをロードしてコンピュータプログラムをインスタント起動実行する方法において、該ハードディスクが第１セクションと第２セクションに分割され、そのうち、第１セクション中に第１オペレーションシステムが保存され、第２セクション中に該マルチメディア再生装置の駆動プログラム及びマルチメディア再生装置のアプリケーションプログラムが保存されることを特徴とする、方法としている。
請求項４の発明は、請求項１記載の高速データアクセスメモリよりオペレーションシステムコアプログラムをロードしてコンピュータプログラムをインスタント起動実行する方法において、高速データアクセスメモリがメモリチップとされたことを特徴とする、方法としている。
請求項５の発明は、請求項１記載の高速データアクセスメモリよりオペレーションシステムコアプログラムをロードしてコンピュータプログラムをインスタント起動実行する方法において、高速データアクセスメモリがフラッシュメモリとされたことを特徴とする、方法としている。
請求項６の発明は、高速データアクセスメモリよりオペレーションシステムコアプログラムをロードしてコンピュータプログラムをインスタント起動実行する方法において、コンピュータ装置はＣＰＵ、データ保存媒体、システムメモリ、基本入出力システム、少なくとも一つのインスタントキー、及び少なくとも一つのマルチメディア再生装置が包含し、該データ保存媒体に第１オペレーションシステムが保存され、該コンピュータ装置が更に高速データアクセスメモリを包含し、該高速データアクセスメモリはバスでＣＰＵに接続され、該高速データアクセスメモリ中に第２オペレーションシステムのコアプログラム、少なくとも一つのマルチメディア再生装置の駆動プログラム、少なくとも一つのマルチメディア再生装置のアプリケーションプログラムが保存され、この方法は、
（ａ）該インスタントキーの被操作状態を検出するステップ、
（ｂ）該インスタントキーが操作されたことが検出された時、該コンピュータ装置が該高速データアクセスメモリ中より第２オペレーションシステムのコアプログラムをシステムメモリ中にロードし並びに実行するステップ、
（ｃ）該高速データアクセスメモリ中より該インスタントキーに対応するマルチメディア再生装置の駆動プログラム及びマルチメディア再生装置のアプリケーションプログラムをロード及び実行するステップ、
（ｄ）該インスタントキーに対応するマルチメディア再生装置を動作させるステップ、  以上のステップを包含することを特徴とする、高速データアクセスメモリよりオペレーションシステムコアプログラムをロードしてコンピュータプログラムをインスタント起動実行する方法としている。
請求項７の発明は、請求項６記載の高速データアクセスメモリよりオペレーションシステムコアプログラムをロードしてコンピュータプログラムをインスタント起動実行する方法において、該データ保存媒体がハードディスクであることを特徴とする、方法としている。
請求項８の発明は、請求項６記載の高速データアクセスメモリよりオペレーションシステムコアプログラムをロードしてコンピュータプログラムをインスタント起動実行する方法において、高速データアクセスメモリがメモリチップとされたことを特徴とする、方法としている。
請求項９の発明は、請求項６記載の高速データアクセスメモリよりオペレーションシステムコアプログラムをロードしてコンピュータプログラムをインスタント起動実行する方法において、高速データアクセスメモリがフラッシュメモリとされたことを特徴とする、方法としている。
請求項１０の発明は、高速データアクセスメモリよりオペレーションシステムコアプログラムをロードしてコンピュータプログラムをインスタント起動実行する方法において、コンピュータ装置はＣＰＵ、データ保存媒体、システムメモリ、基本入出力システム、少なくとも一つのインスタントキー、及び少なくとも一つのマルチメディア再生装置が包含し、該データ保存媒体に第１オペレーションシステムが保存され、該コンピュータ装置が更に高速データアクセスメモリを包含し、該高速データアクセスメモリはバスでＣＰＵに接続され、該高速データアクセスメモリ中に第２オペレーションシステムのコアプログラムが保存され、この方法は、
（ａ）該インスタントキーの被操作状態を検出するステップ、
（ｂ）該インスタントキーが操作されたことが検出された時、該コンピュータ装置が該高速データアクセスメモリ中より第２オペレーションシステムのコアプログラムをシステムメモリ中にロードし並びに実行するステップ、
（ｃ）該高速データアクセスメモリ中より該インスタントキーに対応するマルチメディア再生装置の駆動プログラム及びマルチメディア再生装置のアプリケーションプログラムをロード及び実行するステップ、
（ｄ）該インスタントキーに対応するマルチメディア再生装置を動作させるステップ、  以上のステップを包含することを特徴とする、高速データアクセスメモリよりオペレーションシステムコアプログラムをロードしてコンピュータプログラムをインスタント起動実行する方法としている。
請求項１１の発明は、請求項１０記載の高速データアクセスメモリよりオペレーションシステムコアプログラムをロードしてコンピュータプログラムをインスタント起動実行する方法において、該データ保存媒体がハードディスクであることを特徴とする、方法としている。
請求項１２の発明は、請求項１０記載の高速データアクセスメモリよりオペレーションシステムコアプログラムをロードしてコンピュータプログラムをインスタント起動実行する方法において、マルチメディア再生装置の駆動プログラム及びマルチメディア再生装置のアプリケーションプログラムが該データ保存媒体中に保存されていることを特徴とする、方法としている。
請求項１３の発明は、請求項１０記載の高速データアクセスメモリよりオペレーションシステムコアプログラムをロードしてコンピュータプログラムをインスタント起動実行する方法において、マルチメディア再生装置の駆動プログラム及びマルチメディア再生装置のアプリケーションプログラムが該高速データアクセスメモリ中に保存されていることを特徴とする、方法としている。
請求項１４の発明は、請求項１０記載の高速データアクセスメモリよりオペレーションシステムコアプログラムをロードしてコンピュータプログラムをインスタント起動実行する方法において、該高速データアクセスメモリがメモリチップとされたことを特徴とする、方法としている。
請求項１５の発明は、請求項１０記載の高速データアクセスメモリよりオペレーションシステムコアプログラムをロードしてコンピュータプログラムをインスタント起動実行する方法において、高速データアクセスメモリがフラッシュメモリとされたことを特徴とする、方法としている。
【発明の効果】
【００１０】
本発明の設計によると、高速データアクセスメモリがコンピュータ装置に接続され、コンピュータ装置がインスタントキーが操作されたことを検出した時、該コンピュータ装置は該高速データアクセスメモリ中よりオペレーションシステム及びコアプログラムをシステムメモリ中にロードし並びに実行し、ゆえにプログラム読み取りの速度の面で、はるかにハードディスクより読み取るより速く、これによりマルチメディア再生或いは情報家電の起動待機時間を短縮できる。
【発明を実施するための最良の形態】
【００１１】
図１は本発明の第１実施例のシステム機能ブロック図である。本発明のコンピュータ装置１００は、ＣＰＵ１１、第１バスブリッジ１２、第２バスブリッジ１３を包含し、そのうち、該ＣＰＵ１１はシステムバスを介して第１バスブリッジ１２に接続され、第１バスブリッジ１２にシステムメモリ１４が接続され、並びにディスプレイインタフェース１５０を介してディスプレイ１５が接続されている。
【００１２】
第２バスブリッジ１３に基本入出力システムメモリ１６が接続されている。該基本入出力システムメモリ１６中にはコンピュータ装置の起動時に必要な基本入出力システムプログラム１６１（ＢＩＯＳプログラム）及びＰＯＳＴ（パワーオンセルフテスト）プログラム１６２が保存されている。
【００１３】
第２バスブリッジ１３はバスを介してハードディスクインタフェース１７０に接続され、さらにハードディスクインタフェース１７０によりハードディスク１７に接続される。該ハードディスク１７は本発明中のデータ保存媒体とされる。該ハードディスク１７は第１セクション１７１と第２セクション１７２に分割され、該第１セクション１７１中に第１オペレーションシステム１７３及び第１オペレーションシステム１７３をサポート可能な各種装置駆動プログラム及びアプリケーションプログラムがインストールされている。第２セクション１７２にはマルチメディア再生装置の駆動プログラム１７４、マルチメディア再生装置のアプリケーションプログラム１７５が保存されている。
【００１４】
該第１オペレーションシステム１７３は現在広く使用されているＷｉｎｄｏｗｓ（登録商標）オペレーションシステムとされうる。第２セクション１７２中のマルチメディア再生装置の駆動プログラム１７４はオーディオＣＤ装置駆動プログラム、デジタルオーディオ装置駆動プログラム、オーディオビデオＣＤ駆動アプリケーションプログラム、テレビジョン信号受信装置駆動プログラムを包含しうる。該マルチメディア再生装置のアプリケーションプログラム１７５は、オーディオＣＤ再生アプリケーションプログラム、デジタルオーディオ再生アプリケーションプログラム、オーディオビデオＣＤ再生アプリケーションプログラム、テレビジョン放送アプリケーションプログラムを包含しうる。
【００１５】
該マルチメディア再生装置の駆動プログラム１７４及びマルチメディア再生装置のアプリケーションプログラム１７５はハードディスク１７中の第２セクション１７２中に保存されるが、当然、該ハードディスク１７中の第１セクション１７１中に保存することも可能であり、また、その他のデータ保存媒体（例えばＣＤ、リムーバブルハードディスク、リムーバブルメモリ等）に保存することも可能である。
【００１６】
該コンピュータ装置１００の第２バスブリッジ１３はバス１３０を介してインスタントキー検出インタフェース回路２０に接続され、さらにインスタントキー検出インタフェース回路２０を介してインスタントキーセット２に接続されている。該インスタントキーセット２は複数のインスタントキー２１、２２、２３、２４を包含し、使用者の操作により、オーディオＣＤ、デジタルオーディオ、オーディオビデオＣＤの再生、或いはテレビの放送機能を起動する。
【００１７】
該インスタントキーはオーディオビデオ再生装置動作をインスタント起動するコントロールキーに定義され得る。該インスタントキーは対応するオーディオビデオ再生装置のパネルに取り付けられるか或いはコンピュータのキースイッチとされるか、或いはリモコン上に設置されたボタン、或いはコンピュータ装置のキーボードに設置された特定ボタンとされ得て、この特定ボタンはキーボードコントローラーのデコードの後、ＣＰＵにより認識される。
【００１８】
該コンピュータ装置１００の第２バスブリッジ１３はバス１３０を介してマルチメディア再生装置３に接続され、該マルチメディア再生装置３はオーディオＣＤ読み取り装置、デジタルオーディオ読み取り装置、オーディオビデオＣＤ読み取り装置、テレビ信号受信装置を包含し得て、それはそれぞれ適宜マルチメディア再生装置インタフェース回路３０を介してバス１３０に接続される。
【００１９】
該コンピュータ装置１００の第２バスブリッジ１３はバス１３０を介してサウンドインタフェース回路４０に接続され、さらにサウンドインタフェース回路４０を介して音響装置４０に接続される。
【００２０】
本発明中、さらに高速データアクセスメモリ５が包含され、それは、バス１３０を介して第２バスブリッジ１３に接続される。該高速データアクセスメモリ５はメモリチップ（Ｄｉｓｋ  ｏｎ  Ｃｈｉｐ）、フラッシュメモリ（Ｆｌａｓｈ  ＲＯＭ）或いはその他のハードディスクより高いデータアクセス速度のデータ保存装置とされうる。
【００２１】
該高速データアクセスメモリ５中には第２オペレーションシステム５１、及び第２オペレーションシステムのコアプログラム５２（Ｋｅｒｎｅｌ）が保存されている。該第２オペレーションシステム５１はＬｉｎｕｘ（登録商標）オペレーションシステムとされうるほか、その他のタイプのオペレーションシステム、例えば、Ｔｉｎｙ  Ｗｉｎｄｏｗｓ（登録商標）−ｂａｓｅｄ  Ｏｐｅｒａｔｉｎｇ  Ｓｙｓｔｅｍ）、或いはその他のエンベッド式オペレーションシステムとされうる。
【００２２】
図２は図１の実施例の制御フローチャートである。図１に示されるシステム機能ブロック図と合わせて、本発明の制御フローについて以下に説明する。
【００２３】
本発明の設計によると、該コンピュータ装置１００は正常コンピュータ操作モード或いはマルチメディアインスタント起動及び再生モードにおいて操作可能である。コンピュータ装置１００の正常起動時（ステップ１０１）、コンピュータ装置１００はまずシステム基本起動プロセスを実行する（ステップ１０２）。このとき、コンピュータ装置１００は基本入出力システムメモリ１６中より基本入出力システムプログラム１６１及びＰＯＳＴ（パワーオンセルフテスト）プログラム１６２をロードする。該コンピュータ装置１００がシステム開始及びセルフテストプロセスを完成した後、該コンピュータ装置１００はハードディスク１７中の第１セクション１７１の第１オペレーションシステム１７３をロード及び実行し（ステップ１０３）、コンピュータ装置１００がこれにより正常コンピュータ操作モードに進入する（ステップ１０４）。この後、使用者は一般のコンピュータ装置の操作方式で該コンピュータ装置を操作できる。
【００２４】
使用者がマルチメディア再生の機能を実行したい時は、ただインスタントキーセット２中の任意の一つのキーを押せば、該キーに対応するオーディオＣＤ、デジタルオーディオ、オーディオビデオＣＤの再生、テレビジョン放送の機能をインスタント実行できる。即ち、コンピュータ装置がインスタントキーセット２中の任意のキーが押圧操作されたことを検出した時（ステップ１０５）、コンピュータ装置１００はシステム基本起動プロセスを完成（ステップ１０６）の後、高速データアクセスメモリ５中の第２オペレーションシステム５１及びコアプログラム５２をシステムメモリ１４中にロードし並びにそれを実行する（ステップ１０７）。前述のコアプログラム５２は圧縮ファイルの形態で高速データアクセスメモリ５中に保存可能であり、これにより必要な保存空間を減少できる。システムメモリ１４にロードする前にはまず該コアプログラムの圧縮を解凍しなければならない。
【００２５】
その後、インスタントキーセット２中の使用者が押圧操作したキーに対応するマルチメディア再生装置３に依り、ハードディスク１７の第２セクション１７２中にマルチメディア再生装置の駆動プログラム１７４及びマルチメディア再生装置３のアプリケーションプログラム１７５をロードし及び実行する（ステップ１０８）。こうして、コンピュータ装置１００がマルチメディアインスタント起動及び再生モードに進入する（ステップ１０９）。こうして、使用者は冗長なコンピュータ起動プロセスを待つ必要がなくなり、マルチメディア再生の機能をインスタント起動できる。
【００２６】
図３は本発明の第２実施例のシステム機能ブロック図である。この実施例にあって、ほとんどの構成要件は図１に示される実施例と同じであり、その違いは、この実施例では、ハードディスク１７が複数のセクションに分割されておらず、単一セクション中に第１オペレーションシステム１７３、及び、該第１オペレーションシステム１７３を支援する各種装置駆動プログラム及びアプリケーションプログラムがインストールされていることである。該高速データアクセスメモリ５中には第２オペレーションシステム５１及び第２オペレーションシステムのコアプログラム５２が保存されているほか、別にマルチメディア再生装置の駆動プログラム５３及びマルチメディア再生装置のアプリケーションプログラム５４が保存されている。
【００２７】
図４は図３に示される実施例の制御フローチャートである。該コンピュータ装置１００は同様に正常コンピュータ操作モード或いはマルチメディアインスタント起動及び再生モードで操作可能である。コンピュータ装置１００の正常起動時（ステップ１０１）、コンピュータ装置１００はまずシステム基本起動プロセスに進入する（ステップ１０２）。この時、該コンピュータ装置１００は基本入出力システムメモリ１６中より基本入出力システムプログラム１６１及びＰＯＳＴ（パワーオンセルフテスト）プログラム１６２をロードする。コンピュータ装置１００がシステム開始及びセルフテストプロセスを完成した後、該コンピュータ装置１００はハードディスク１７中の第１オペレーションシステム１７３をロード及び実行し（ステップ１０３）、コンピュータ装置１００は正常コンピュータ操作モードに進入する（ステップ１０４）。この後、使用者は一般のコンピュータ装置の操作方式で該コンピュータ装置を操作できる。
【００２８】
使用者がマルチメディア再生の機能を実行したい時は、ただインスタントキーセット２中の任意の一つのキーを押せば、該キーに対応するオーディオＣＤ、デジタルオーディオ、オーディオビデオＣＤの再生、テレビジョン放送の機能をインスタント実行できる。即ち、コンピュータ装置がインスタントキーセット２中の任意のキーが押圧操作されたことを検出した時（ステップ１０５）、コンピュータ装置１００はシステム基本起動プロセスを完成（ステップ１０６）の後、高速データアクセスメモリ５中の第２オペレーションシステム５１及びコアプログラム５２をシステムメモリ１４中にロードし並びにそれを実行する（ステップ１０７）。
【００２９】
その後、インスタントキーセット２中の使用者が押圧操作したキーに対応するマルチメディア再生装置３に依り、高速データアクセスメモリ５中よりマルチメディア再生装置の駆動プログラム及びマルチメディア再生装置のアプリケーションプログラムをロードし及び実行する（ステップ１０８ａ）。こうして、コンピュータ装置１００がマルチメディアインスタント起動及び再生モードに進入する（ステップ１０９）。
【００３０】
以上の実施例の説明は、本発明の好ましい実施例の説明に過ぎず、上述の実施例の説明に基づきなしうる数々の改良及び変化は、いずれも本発明の請求範囲に属するものとする。
【図面の簡単な説明】
【００３１】
【図１】本発明の第１実施例のシステム機能ブロック図である。
【図２】本発明の図１の実施例の制御フローチャートである。
【図３】本発明の第２実施例のシステム機能ブロック図である。
【図４】図３に示される実施例の制御フローチャートである。
【符号の説明】
【００３２】
１００  コンピュータ装置
１１  ＣＰＵ
１２  第１バスブリッジ
１３  第２バスブリッジ
１３０  バス
１４  システムメモリ
１５  ディスプレイ
１５０  ディスプレイインタフェース
１６  基本入出力システムメモリ
１６１  基本入出力システムプログラム
１６２  ＰＯＳＴ（パワーオンセルフテスト）プログラム
１７  ハードディスク
１７０  ハードディスクインタフェース
１７１  第１セクション
１７２  第２セクション
１７３  第１オペレーションシステム
１７４  マルチメディア再生装置の駆動プログラム
１７５  マルチメディア再生装置のアプリケーションプログラム
２  インスタントキーセット
２０  インスタントキー検出インタフェース回路
２１  インスタントキー
２２  インスタントキー
２３  インスタントキー
２４  インスタントキー
３  マルチメディア再生装置
４  音響装置
４０  サウンドインタフェース回路
５  高速データアクセスメモリ
５１  第２オペレーションシステム
５２  コアプログラム
５３  マルチメディア再生装置の駆動プログラム
５４  マルチメディア再生装置のアプリケーションプログラム
【図１】
2007035010.tif 000003
【図２】
2007035010.tif 000004
【図３】
2007035010.tif 000005
【図４】
2007035010.tif 000006